(57)【特許請求の範囲】
【請求項１】
支持板部を有し、壁面に前記支持板部の前面が表側になるようにして取り付けられる取付基体と、
前記取付基体の前記支持板部の前面に、上部または下部を中心に前後方向に回動可能に配設される角度調整部材と、
前記角度調整部材の前部に取り付けられ、レーザービームを前方に出射して不審者の侵入を検出するセンサ部と
を備え、前記角度調整部材の回動角度を調節することにより、前記センサ部からのレーザービームの出射方向を俯仰方向に調節可能に構成したセキュリティ装置において、
前記角度調整部材の左右両側に後方に突出して設けられた一対の突片と、
前記各突片に形成されたねじ孔と、
前記取付基体の前記支持板部の左右両側に形成され、前記角度調整部材の前記突片が通される左右一対の透孔と、
前記支持板部の左右両側縁部に、少なくとも前記一対の透孔に近接する部分が当該一対の透孔の外側に位置するように後方に突出された、前記支持板部の左側縁部および右側縁部のそれぞれに存する側板と、
前記取付基体の前記各側板に、前記角度調整部材の回動に伴う前記突片の前記ねじ孔の回動軌跡に沿って延びるように形成された長孔と
を具備し、
前記取付基体の前記支持板部の左右両側縁部にそれぞれ前記側板を後方に突出させて形成することによって前記支持板部の後側に形成された凹状部内に前記センサ部に接続される配線用リード線を収納し、且つ、前記角度調整部材の前記突片を前記透孔から前記凹状部内に通して当該凹状部内に収納し、前記長孔に固定用ねじを通して当該固定用ねじを前記突片の前記ねじ孔に螺合し締め付けることにより、前後方向の回動位置が調整された前記角度調整部材を前記取付基体の前記側板に固定することを特徴とするセキュリティ装置。
【発明の詳細な説明】
【技術分野】
【０００１】
本発明は、レーザービームを出射して不審者の侵入を検出するセキュリティ装置に関する。
【背景技術】
【０００２】
この種のセキュリティ装置では、レーザービームをほぼ水平方向に出射して検出エリア内に不審者が侵入したことを検知するようにしている。レーザービームの出射方向が狂うと、不審者が検出エリア内に侵入したとき、これを正しく検出することができなくなる恐れがあるため、セキュリティ装置の取付基体を壁面に取り付ける際、レーザービームが正規の方向に出射されるように、センサ部の取付角度を俯仰方向に調節できるようにしている。
【０００３】
即ち、取付基体は支持板部を有し、当該支持板部の前面が表側になるようにして壁面に取り付けられる。支持板部の前面には、レーザービームを出射するセンサ部を固定した角度調整部材がその上部を中心にして前後方向に回動可能に取り付けられ、当該角度調整部材の回動角度を変えると、センサ部の取付角度が俯仰方向に変化するので、角度調整部材の角度調整によってレーザービームの出射方向を俯仰方向に調整することができる。
【０００４】
レーザービームの出射方向を調整した後、角度調整部材をその調整された回動位置に固定する構成は、角度調整部材の左右両側に前方に突出する一対の突片を設けて各突片にねじ孔を形成する一方、取付基体の支持板部の前面の左右両側に角度調整部材の突片の外側に位置するようにして前方に突出する一対の固定用フランジを設けて各固定用フランジに前後方向に延びる長孔を形成し、そして、固定用フランジの長孔に固定用ねじを通し、当該固定用ねじを突片のねじ孔に螺合して突片を固定用フランジに締め付け固定することにより、角度調整部材を調整された回動位置に固定するというものである。
【０００５】
なお、本発明とは直接の関係はないが、特許文献１には、指向性アンテナ素子を固定する上部プレートと、この上部プレートの下部に配置されて支持体に固定される下部プレートを備えたアンテナ角度調整装置において、下部プレートに上部プレートを球面ベアリングを介して揺動自在に取り付け、上部プレートの揺動中心の周りの３位置に形成されたねじ孔に調整ねじを螺合して下部プレート側に貫通させ、これら３本の調整ねじによって下部プレートの傾きを調整した後、ねじと２個のナットからなるロック手段によって上部プレートの調整された位置を下部プレートに対して保持する構成が開示されている。
【先行技術文献】
【特許文献】
【０００６】
【特許文献１】特開２００１−３３２９１８号公報
【発明の概要】
【発明が解決しようとする課題】
【０００７】
前述のセキュリティ装置におけるセンサ部の角度調整機構では、角度調節部材を調整された回動位置に固定するために、固定用フランジを角度調整部材の左右の一対の突片の外側に位置するようにして設ける必要がある。
この場合、角度調整部材の前面にはセンサ部が取り付けられるので、固定用フランジはセンサ部の左右両側面よりも外側に位置させねばならない。
このため、取付基体の左右方向幅としては、センサ部の左右方向幅よりも、少なくとも一対の突片および一対の固定用フランジの厚さの合計分だけ大きくしなければならず、昨今の小型化の要請に対応できないという問題があった。
【０００８】
本発明は上記の事情に鑑みてなされたもので、その目的は、取付基体の左右方向幅を狭小化でき、全体としての小型化を図ることができるセキュリティ装置を提供することにある。
【課題を解決するための手段】
【０００９】
本発明は、角度調整部材に、後方に突出する突片を設けて当該突片にねじ孔を形成し、取付基体の支持板部の左右両側縁部に後方に突出する側板をそれぞれ設け、取付基体の支持板部に角度調整部材の突片を通す透孔を形成し、取付基体の側板に、角度調整部材の回動に伴う突片のねじ孔の回動軌跡に沿って延びる長孔を形成し、長孔に固定用ねじを通して該固定用ねじを突片のねじ孔に螺合して締め付けることにより角度調整部材を、調節された前後方向の回動位置に固定することを特徴とする。
【００１０】
この構成によれば、角度調整部材に設ける突片を後方に突出するように設けるため、当該突片を角度調整部材の前面に配置するセンサ部の左右両側面の外側に位置させずとも、センサ部の左右両側面よりも内側に位置して設けることができる。このため、取付基体の左右方向幅をセンサ部の左右方向幅と同等或いは同等以下とすることができ、全体の小型化を図ることができる。
また、支持板部の左右両側縁にそれぞれ側板を後方に突出するように形成することにより、支持板部の裏側に凹状部が形成されるので、この凹状部の内側にセンサ部への配線用リード線および突片を収納することができる。
【図面の簡単な説明】
【００１１】
【図１】本発明の一実施形態を示す要部の横断面図
【図２】要部の縦断側面図
【図３】要部の分解斜視図
【図４】短いねじ回しで固定用ねじを操作する状態を示す要部の平面図
【図５】全体の正面図
【図６】全体の側面図
【発明を実施するための形態】
【００１２】
以下、本発明の一実施形態につき図面を参照しながら説明する。図５および図６に示すように、セキュリティ装置１は、建物の外壁面２に取り付けられ、前方の検出エリア内への侵入者の検出機能の他、検出エリア内の撮影機能および侵入者の電波による個体識別機能を有する。
【００１３】
検出エリア内への侵入者の検出は、センサ部３によって行われる。このセンサ部３は、周知のように、検出エリアに向けてレーザービームを例えば水平に出射し、その反射光を検出することによって検出エリア内への不審者の侵入を検出する。また、検出エリア内の撮影はカメラ部４によって行われ、その撮影画像は建物内に設置されたモニター（図示せず）に表示される。侵入者の電波による個体識別はタグリーダ部５によって行われる。このタグリーダ部５は、センサ部３により検出エリア内へ何者かが侵入したことが検出されると、ＲＦＩＤタグと通信する電波を出力し、応答電波を受信しないときは、不審者が侵入したと判定し、予め登録されたＩＤ情報をもったＲＦＩＤタグから応答電波を受信したときは、侵入者は予め登録された人物であって不審者ではないと判定する。
【００１４】
センサ部３、カメラ部４およびタグリーダ部５を外壁面２に取り付けるために、セキュリティ装置１は取付基体６を備えている。この取付基体６は、上下に長い矩形状のもので、外壁面２側を裏（後）側とした場合、建物の外壁面２に、取付面である前面が表側になるようにして取り付けられ、その取付面（前面）に前記センサ部３、カメラ部４およびタグリーダ部５が上下方向に並べて取り付けられている。これらセンサ部３、カメラ部４およびタグリーダ部５には、それらの機能を損なわない範囲でカバー７が着脱可能に装着されている。
【００１５】
さて、前記センサ部３は取付基体６が外壁面２に固定された状態で、レーザービームの出射方向を俯仰方向に調整できるようになっている。このレーザービームの出射方向を俯仰方向に調整可能にするために、センサ部３は角度調整機構８を介して取付基体６に固定されている。以下にこの角度調整機構８について説明する。
【００１６】
角度調整機構８は角度調整部材としての角度調整板９を主体とするもので、この角度調整板９は、図２および図３に示すように、センサ部３の上下方向中央の幅広部３ａから上半部３ｂにわたる部分の後面よりもやや小さい角形に形成されている。この角度調整板９の上辺および左右両辺には取付片９ａおよび９ｂが形成されている。これら取付片９ａおよび９ｂは、センサ部３の上半部３ｂにおける上部および左右両側部に形成された取付部３ｃおよび３ｄに対応している。なお、取付部３ｄは左側のものだけが図示されている。
【００１７】
そして、センサ部３は、幅広部３ａから上半部３ｂにわたる部分の後面を角度調整板９に当てた状態で、取付部３ｃおよび３ｄに形成された通し孔３ｅおよび３ｆに取付ねじ１０を通して当該取付ねじ１０を取付片９ａおよび９ｂに形成されたねじ孔９ｃに螺合し締め付けることにより角度調整板９に固定されている。
【００１８】
この場合、センサ部３の上部の取付部３ｃの通し孔３ｅは丸孔であるが、左右両側の取付部３ｄの通し孔３ｆは左右に長い長孔とされ、これにより、センサ部３は、左右の取付部３ｄの通し孔（長孔）３ｆに取付ねじ１０を通した状態で、上部の取付部３ｃに通された取付ねじ１０を中心に左右方向に回動できるようになっている。そして、このセンサ部３の左右の回動により、センサ部３の垂直度が調整可能とされ、外壁面２に取付基体６を取り付ける際に、取付基体６が正規の垂直状態から多少傾いて取り付けられたとしても、センサ部３の垂直度を調整することによってレーザービームが左右にスキャンされる場合、水平面内でスキャンされるようにしている。
【００１９】
角度調整板９の上辺には、後方に突出する半円状の掛合片１１が取付片９ａの左右両側に位置して形成されている。また、角度調整板９の左右両辺の下端部には、後方に向けて直角に折り曲げられた突片１２が形成されており、これら一対の突片１２には、ねじ孔１２ａが形成されている。ここで、角度調整板９にセンサ部３を取り付けたとき、突片１２は、図２に示すように、幅広部３ａとほぼ同じ高さに位置するようになっている。
【００２０】
一方、取付基体６は、センサ部３、カメラ部４およびタグリーダ部５を取り付ける部分を支持板部１３としており、この支持板部１３の左右両側縁部には、それぞれ後方に突出する側板１４が形成されている。なお、図示はしないが、支持板部１３の上下両縁部にも、端板が後方に突出して形成されている。そして、この支持板部１３の左側縁部および右側縁部にそれぞれ存する側板１４によって支持板部１３の後側は凹状にされ、この凹状部１５は着脱可能な裏板１６によって塞がれるようになっている。
【００２１】
取付基体６の支持板部１３において、角度調整板９の配置部位の上端部からその上方の所定範囲には、横方向に延びる帯状凹部１３ａが形成され、この帯状凹部１３ａの下端部分に一対の横長の通し孔１７が形成されている。そして、この通し孔１７の下開口縁には、後側に突出する断面円形の支持軸部（枢支部）１８が形成されている。また、支持板部１３の角度調整板９の配置部位内の下端部分の左右両側には、一対の縦長の透孔１９が形成されている。
【００２２】
ところで、センサ部３は、上半部３ｂの下部位においては左右両側の取付部３ｃの横方向への突出により実質的に横幅が広がって幅広部３ａと同等の広い横幅になっており、また、下半部３ｇの上部は、幅広部３ａの横幅が下方に向かって次第に小さくなる逆ハの字形の形状をなしている。そして、支持板部１３におけるセンサ部３の配置部分のうち、取付部３ｄから下半部３ｇの上部にかけての部位が配置される部位については、その横幅が拡大されており、この支持板部１３の拡幅部１３ｂにおける左右両側板１４は外側に膨らむ膨出部１４ａとなっている。また、支持板部１３のうち、センサ部３の下半部３ｇが配置される部位については、これを囲むリブ１３ｃが側板１４と面一に前方に突出して形成されている。
【００２３】
そして、左右一対の側板１４の膨出部１４ａのうち、透孔１９の左右両側に位置する部分には窪み部２０が形成されており、この窪み部２０の形成によって、左右両側板１４の膨出部１４ａの一部が部分的に透孔１９に外側から近接する形態となっている。この側板１４の透孔１９に近接する部分、つまり窪み部２０の奥面相当部分には、長孔２１が形成されている。この長孔２１には突片１２のねじ孔１２ａに螺合される固定用ねじ２２が通されるが、後述のように、掛合片１１が支持軸部１８に掛けられることにより、角度調整板９が支持軸部１８を中心に回動可能になされるため、長孔２１は、前後方向、つまりねじ孔１２ａの支持軸部１８を中心とした回動軌跡に沿うように前後方向に延びている。
【００２４】
前記角度調整板９は、掛合片１１を通し孔１７に通して当該掛合片１１を支持軸部１８に掛けるようにしており、これにより、当該支持軸部１８を中心にして前後方向に回動可能に支持された状態となる。また、掛合片11を支持軸部18に掛ける際、突片１２を支持板部１３の透孔１９に通すものであり、これにより、突片１２は透孔１９から凹状部１５内に突出し、側板１４、具体的には窪み部２０の奥面相当部分の裏面に接するようになっている。なお、支持板部１３の支持軸部１８から下方の部分は、下方に行くに従って後方に傾くように傾斜しており、この傾斜と帯状凹部１３ａとによってセンサ部３が支持軸部１８を中心に俯仰方向に所定角度範囲で回動できるようになっている。
【００２５】
レーザービームの出射方向を俯仰方向に調整する作業は、取付基体６を外壁面２に取り付けた後に行う。つまり、取付基体６を外壁面２に固定した後、センサ部３を固定した角度調整板９の掛合片１１を支持軸部１８に掛ける。すると、角度調整板９は支持軸部１８を中心に前後方向に回動できるようになる。そこで、角度調整板９を支持軸部１８を中心に前後に回動させると、レーザービームの出射方向が、角度調整板９を前方に回動させたときには仰角方向に変化し、逆に角度調整板９を後方に回動させたときには俯角方向に変化するので、レーザービームの出社方向が水平となるように角度調整板９の回動角度を調整する。調整後、固定用ねじ２２を左右両側板１４の長孔２１に通し、当該固定用ねじ２２を突片１２のねじ孔１２ａに螺合して締め付け固定する。これにより、角度調整板９が調製された回動角度で側板１４に固定される。
【００２６】
ここで、突片１２を角度調整板９の例えば左右の取付片９ｂよりも上の部位に設けたり、逆に、角度調整板９をセンサ部３の下端部に達するまで長くして突片１２をその下端部に設けたりせずに、センサ部３の中央部の幅広部３ａに相当する部分に設けた理由は、長孔２１の限られた長さで、角度調整板９の調整可能角度を所定角度範囲にしなければならなず、そのためには、突片１２はできるだけ支持軸部１８に近づけたいという要求があり、逆に、角度調整後の角度調整板９を固定用ねじ２２により確実に固定するためには、突片１２はできるだけ支持軸部１８から離したいという要求があり、この２つの要求を、ある程度満足できるようにするために、中央の幅広部３ａに相当する部分に突片１２を設けたのである。
【００２７】
ところで、取付基体６を外壁面２に取り付けた状態において、図５および図６に示すように、外壁面２にはチューブ２３が敷かれており、当該チューブ２３の先端は取付基体６の下端部に連結されている。このチューブ２３内には、電源、建物内に設置された制御装置やモニターなどに接続された電源線や信号線などの複数本の配線用リード線２４が通されている。そして、図１に示すように、リード線２４は、チューブ２３から取付基体６の凹状部１５内に導入され、支持板部１３の帯状凹部１３ａに形成された引出孔２５から支持板部１３の前面側に導出されている。
【００２８】
図示はしないが、支持板部１３の前面には、帯状凹部１３ａとその上のカメラ部４との間に位置して基板が取り付けられており、支持板部１３の前面側に導出されたリード線２４は当該基板に接続される。そして、基板とセンサ部３、カメラ部４およびタグリーダ部５との間はコネクタによって接続されるようになっている。
ちなみに、チューブ２３から引き出されたリード線２４を凹状部１５内に導入し、引出孔２５から引き出す作業は、取付基体６を外壁面２に取り付ける前に裏板１６を外した状態で行う。
【００２９】
以上のように構成したセキュリティ装置１によれば、角度調整板９の突片１２を後方に突出するように形成したので、突片１２をセンサ部３の幅広部３ａの左右両側面よりも内側に位置させることができる。つまり、一対の突片１２の間隔をセンサ部３の幅広部３ａの横幅よりも小さくすることができるのである。このため、突片１２を固定する部分の左右両側板１４の間隔、つまり窪み部２０における左右両側板１４の間隔をセンサ部３の幅広部３ａの横幅よりも小さくすることができる。
【００３０】
これに対し、従来では、突片１２を前方に突出させていたため、左右一対の突片１２の間隔はセンサ部３の幅広部３ａの横幅よりも大きくしなければならず、加えて、センサ部３が上側の取付部３ｃを中心に左右方向に回動可能にするために、更に一対の突片１２の間隔を広げねばならず、従って、一対の突片１２を固定するために支持板部１３に前方に突出して形成する一対の固定用フランジの間隔はセンサ部３の幅広部３ａの横幅よりも相当大きくならざるを得ず、支持板部１３が横幅方向に大型化せざるを得ない。
しかし、本実施形態では、窪み部２０における左右両側板１４の間隔をセンサ部３の幅広部３ａの幅よりも小さくすることができるので、支持板部１３の横幅方向の大型化を回避することができる。
【００３１】
また、本実施形態では、側板１４を後側に突出させて支持板部１３の後側に凹状部１５が形成されるようにしたので、この凹状部１５内に突片１２を収納して隠すことができると共に、リード線２４を凹状部１５内に収納して隠すことができるという副次的な効果を得ることができる。
【００３２】
更に、支持板部１３の後側に突出する側板１４に突片１２を固定するので、その固定用の固定用ねじ２２の頭部２２ａが外壁面２の直ぐ近くに位置することとなる。このため、誰かが、図４に示すように、ねじ回し２６の先端を固定用ねじ２２の頭部２２ａの溝に当てて固定用ねじ２２を緩めようとしても、外壁面２が邪魔になってねじ回し２６を斜めにしないと溝に入れることができず、しかも、溝に入れ得たとしても不完全で、この状態でねじ回し２６を回すと、先端が滑ってしまって固定用ねじ２２を緩めることができなくなる。ねじ回し２６が相当長ければ、その先端を固定用ねじ２２の溝に入れて回すことができるであろうが、そのような長いねじ回し２６では、隠し持つことができないので、実際に固定用ねじ２２を緩める行為にまで及ぶことは不可能と考えられる。
【００３３】
なお、本発明は上記し且つ図面に示す実施形態に限定されるものではなく、以下のような拡張或いは変更が可能である。
カメラ部４、タグリーダ部５はなくとも良い。
支持板部１３の拡幅部１３ｂはなくとも良い。
角度調整部材は板状でなくとも良い。
角度調整板９は、支持板部１３に、下部を中心にして前後方向に回動可能に取り付けるようにしても良い。勿論、上部を中心に回動可能に取り付ければ、センサ部３を取り付けてある重い支持板部１３を支持軸部１８に支持させた状態で角度調整作業を行うことができるので、楽に作業することができるという利点がある。
支持軸部１８の断面形状は必ずしも円形である必要はない。
【符号の説明】
【００３４】
図面中、２は建物の外壁面、３はセンサ部、６は取付基体、９は角度調整板（角度調整部材）、１２は突片、１３は支持板部、１４は側板、１５は凹状部、１８は支持軸部、１９は透孔、２１は長孔、２２は固定用ねじ、２４は配線用リード線を示す。
【図１】
0005754150.tif 000002
【図２】
0005754150.tif 000003
【図３】
0005754150.tif 000004
【図４】
0005754150.tif 000005
【図５】
0005754150.tif 000006
【図６】
0005754150.tif 000007